(57)【要約】  互いに接続可能な第１及び第２の記録再生装置から構成されるコンテンツデータ記録再生システムにおけるコンテンツデータ記録再生方法において、第１及び第２の記録再生装置のいずれかに入力されるコンテンツデータを第１及び第２の記録再生装置にそれぞれ記録し、第１及び第２の記録再生装置が互いに接続されているとき、第１及び第２の記録再生装置のいずれか一方のみにおける記録されたコンテンツデータの再生を可能とし、第１及び第２の記録再生装置が互いに接続されていないとき、第１及び第２の記録再生装置のいずれか他方のみにおける記録されたコンテンツデータの再生を可能とする。
2007043251.tif 000002
【特許請求の範囲】
【請求項１】
互いに接続可能な第１及び第２の記録再生装置から構成されるコンテンツデータ記録再生システムにおけるコンテンツデータ記録再生方法であって、  前記第１及び第２の記録再生装置のいずれかに入力されるコンテンツデータを前記第１及び第２の記録再生装置にそれぞれ記録し、  前記第１及び第２の記録再生装置が互いに接続されているとき、前記第１及び第２の記録再生装置のいずれか一方のみにおける記録されたコンテンツデータの再生を可能とし、前記第１及び第２の記録再生装置が互いに接続されていないとき、前記第１及び第２の記録再生装置のいずれか他方のみにおける記録されたコンテンツデータの再生を可能とすることを特徴とする、  コンテンツデータ記録再生方法。
【請求項２】
請求の範囲第１項に記載のコンテンツデータ記録再生方法において、  前記第１及び第２の記録再生装置は、異なる品質のコンテンツデータを記録することを特徴とするコンテンツデータ記録再生方法。
【請求項３】
（Ａ）コンテンツデータが入力される入力部と、  前記入力部から入力されるコンテンツデータを記録する第１の記録部と、  携帯用記録再生装置に接続され、当該携帯用記録再生装置にコンテンツデータを転送し、制御信号を送出する転送部と、  前記転送部に携帯用記録再生装置が接続されているとき、前記入力部から入力されるコンテンツデータを前記第１の記録部に記録させるとともに、前記転送部に接続された携帯用記録再生装置にコンテンツデータを転送し、転送した当該コンテンツデータを記録及び再生させる制御をする第１の制御部と、  前記第１の記録部に記録されたコンテンツデータの再生可否情報を記憶する第１の管理情報記憶部と、を備え、  前記第１の制御部は、前記第１の記録部に記録されたコンテンツデータと同一内容のコンテンツデータが記録された携帯用記録再生装置が前記転送部に接続されているとき、前記第１の管理情報記憶部の当該コンテンツデータの再生可否情報を再生可能に設定し、当該携帯用記録再生装置が前記転送部に接続されていないとき、前記第１の管理情報記憶部の当該コンテンツデータの再生可否情報を再生不可に設定する、記録再生装置；及び、  （Ｂ）前記記録再生装置に接続され、当該記録再生装置から転送されるコンテンツデータを受信する受信部と、  前記受信部が受信したコンテンツデータを記録する第２の記録部と、  前記第２の記録部に記録されたコンテンツデータの再生可否情報を記憶する第２の管理情報記憶部と、  前記第２の記録部に記録されたコンテンツデータと同一内容のコンテンツデータが記録された記録再生装置が前記受信部に接続されているとき、前記管理情報記憶部の当該コンテンツデータの再生可否情報を再生不可に設定し、当該記録再生装置が前記受信部に接続されていないとき、前記管理情報記憶部の当該コンテンツデータの再生可否情報を再生可能に設定する第２の制御部と、  を備える携帯用記録再生装置；  から構成されることを特徴とするコンテンツデータ記録再生システム。
【請求項４】
請求の範囲第３項に記載の記録再生システムにおいて、  前記記録再生装置は、さらに、前記転送部から前記携帯用記録再生装置に転送されるコンテンツデータの品質を変換する変換部を備えることを特徴とする記録再生システム。
【請求項５】
コンテンツデータが入力される入力部と、  前記入力部から入力されるコンテンツデータを記録する記録部と、  携帯用記録再生装置に接続され、当該携帯用記録再生装置にコンテンツデータを転送し、制御信号を送出する転送部と、  前記転送部に携帯用記録再生装置が接続されているとき、前記入力部から入力されるコンテンツデータを前記記録部に記録させるとともに、前記転送部に接続された携帯用記録再生装置にコンテンツデータを転送し、転送した当該コンテンツデータを記録及び再生させる制御をする制御部と、  前記記録部に記録されたコンテンツデータの再生可否情報を記憶する管理情報記憶部と、を備え、  前記制御部は、前記記録部に記録されたコンテンツデータと同一内容のコンテンツデータが記録された携帯用記録再生装置が前記転送部に接続されているとき、前記管理情報記憶部の当該コンテンツデータの再生可否情報を再生可能に設定し、当該携帯用記録再生装置が前記転送部に接続されていないとき、前記管理情報記憶部の当該コンテンツデータの再生可否情報を再生不可に設定する、ことを特徴とする記録再生装置。
【請求項６】
請求の範囲第５項に記載の記録再生装置において、  さらに、前記転送部から携帯用記録再生装置に転送されるコンテンツデータの品質を変換する変換部を備えることを特徴とする記録再生装置。
【請求項７】
記録再生装置に接続され、当該記録再生装置から転送されるコンテンツデータを受信する受信部と、  前記受信部が受信したコンテンツデータを記録する記録部と、  前記記録部に記録されたコンテンツデータの再生可否情報を記憶する管理情報記憶部と、  前記記録部に記録されたコンテンツデータと同一内容のコンテンツデータが記録された記録再生装置が前記受信部に接続されているとき、前記管理情報記憶部の当該コンテンツデータの再生可否情報を再生不可に設定し、当該記録再生装置が前記受信部に接続されていないとき、前記管理情報記憶部の当該コンテンツデータの再生可否情報を再生可能に設定する制御部と、  を備えることを特徴とする携帯用記録再生装置。
【請求項８】
請求の範囲第７項に記載の携帯用記録再生装置において、前記記録再生装置に記録されたコンテンツデータと異なる品質のコンテンツデータを記録することを特徴とする携帯用記録再生装置。
【発明の詳細な説明】
【技術分野】
【０００１】  本発明は、著作権の保護を図りつつ、デジタルコンテンツデータを記録媒体に記録・再生するための技術に関する。
【背景技術】
【０００２】  テレビ放送局から送信された放送番組を受信し、受信した放送番組の映像信号及びオーディオ信号（以下、コンテンツデータという）を記録媒体に記録する記録装置がある。この記録装置は、コンテンツデータをＨＤ（Hard Disk）などの記録媒体にデジタル形式で記録し、記録したコンテンツデータを再生する。【０００３】  デジタル形式で作成されたコンテンツデータは、画質や音質の劣化が少ない複製（デジタルコピー）が容易である。このため、コンテンツデータの無制限の利用（コピー）を防止して著作権を保護するために、コピー制御情報が通常コンテンツデータに付されている。【０００４】  コンテンツデータを外部機器に転送する際に、転送するコンテンツデータの著作権を保護することができる装置が開発されている（例えば、特開２００２‐２３８０２３号公報参照）。この装置では、装置が内蔵する第１の記録媒体に記録されたコンテンツデータを外部機器の第２の記録媒体に転送する一方で、第１の記録媒体のコンテンツデータを削除する。すなわち、コンテンツデータは記録装置から外部機器に「移動（ムーブ）」のみ許可され、無制限のコピーは防止される。【０００５】  近年、動画コンテンツを再生可能な携帯用記録再生装置が広く利用されるようになり、家庭の記録装置で記録したコンテンツデータを携帯用記録再生装置に転送して通勤時等の外出先で視聴する者も増えている。【０００６】  記録装置に記録したコンテンツデータを携帯用記録再生装置に転送する際、記録したコンテンツデータの解像度を低解像度に変換して転送する場合がある。例えば、記録装置に記録されたコンテンツデータの映像信号の解像度が携帯用記録再生装置の解像度より高い場合である。【０００７】  ここで、上記公報に記載の装置においては、コンテンツデータが外部機器に転送された後、記録装置に記録されたコンテンツデータは削除される。このため、例えば、ユーザが外部機器に転送したコンテンツデータを、記録装置で保存・再生したいとユーザが望む場合には、携帯用記録再生装置から記録装置に再度コンテンツデータをムーブしなければならない。例えば、当該コンテンツデータを携帯用記録再生装置の小画面ではなく、大画面でじっくり見たい場合や、携帯用記録再生装置の記録容量の制限のため保存しておくことができない場合に、このような操作が必要なことはユーザには不便である。【０００８】  また、記録装置から携帯用記録再生装置に転送されたコンテンツデータが低解像度に変換されているとき、携帯用記録再生装置から記録装置に戻されるコンテンツデータは低解像度のコンテンツデータとなる。このとき、ユーザは、最初に記録装置に記録した品質（解像度）で転送したコンテンツデータを保存・再生することはできない。【０００９】  このように、記録装置に記録されたコンテンツデータについてムーブのみ可能とすることは、著作権者にとっては望ましいものといえるが、ユーザにとっては不都合な点が多い。このため、ユーザが記録装置に記録したコンテンツデータについてこれを削除することなく外部機器においても利用（再生）可能な技術が望まれていた。本発明は、上述の従来技術における不都合を解決することを目的とする。
【発明の開示】
【００１０】  上記目的を達成するため、本発明の第１の態様におけるコンテンツデータ記録再生方法は、互いに接続可能な第１及び第２の記録再生装置から構成されるコンテンツデータ記録再生システムにおけるコンテンツデータ記録再生方法であって、前記第１及び第２の記録再生装置のいずれかに入力されるコンテンツデータを前記第１及び第２の記録再生装置にそれぞれ記録し、前記第１及び第２の記録再生装置が互いに接続されているとき、前記第１及び第２の記録再生装置のいずれか一方のみにおける記録されたコンテンツデータの再生を可能とし、前記第１及び第２の記録再生装置が互いに接続されていないとき、前記第１及び第２の記録再生装置のいずれか他方のみにおける記録されたコンテンツデータの再生を可能とする。それぞれに記録したコンテンツデータは、いずれか一方のみが再生可能とされることによりコンテンツデータの無制限の利用は防止され、著作権は適切に保護され、ユーザの利用性を向上させることができる。
【００１１】  上記コンテンツデータ記録再生方法において、前記第１及び第２の記録再生装置は、異なる品質のコンテンツデータを記録してもよい。
【００１２】  上記目的を達成するため、本発明の第２の態様におけるコンテンツデータ記録再生システムは、（Ａ）コンテンツデータが入力される入力部と、前記入力部から入力されるコンテンツデータを記録する第１の記録部と、携帯用記録再生装置に接続され、当該携帯用記録再生装置にコンテンツデータを転送し、制御信号を送出する転送部と、前記転送部に携帯用記録再生装置が接続されているとき、前記入力部から入力されるコンテンツデータを前記記録部に記録させるとともに、前記転送部に接続された携帯用記録再生装置にコンテンツデータを転送し、転送した当該コンテンツデータを記録及び再生させる制御をする第１の制御部と、前記第１の記録部に記録されたコンテンツデータの再生可否情報を記憶する第１の管理情報記憶部と、を備え、前記第１の制御部は、前記第１の記録部に記録されたコンテンツデータと同一内容のコンテンツデータが記録された携帯用記録再生装置が前記転送部に接続されているとき、前記第１の管理情報記憶部の当該コンテンツデータの再生可否情報を再生可能に設定し、当該携帯用記録再生装置が前記転送部に接続されていないとき、前記管理情報記憶部の当該コンテンツデータの再生可否情報を再生不可に設定する、記録再生装置；及び、（Ｂ）前記記録再生装置に接続され、当該記録再生装置から転送されるコンテンツデータを受信する受信部と、前記受信部が受信したコンテンツデータを記録する第２の記録部と、前記第２の記録部に記録されたコンテンツデータの再生可否情報を記憶する第２の管理情報記憶部と、前記第２の記録部に記録されたコンテンツデータと同一内容のコンテンツデータが記録された記録再生装置が前記受信部に接続されているとき、前記第２の管理情報記憶部の当該コンテンツデータの再生可否情報を再生不可に設定し、当該記録再生装置が前記受信部に接続されていないとき、前記第２の管理情報記憶部の当該コンテンツデータの再生可否情報を再生可能に設定する第２の制御部と、を備える携帯用記録再生装置；から構成される。
【００１３】  上記記録再生システムにおいて、前記記録再生装置は、さらに、前記転送部から前記携帯用記録再生装置に転送されるコンテンツデータの品質を変換する変換部を備えてもよい。
【００１４】  上記目的を達成するため、本発明の第３の態様における記録再生装置は、コンテンツデータが入力される入力部と、前記入力部から入力されるコンテンツデータを記録する記録部と、携帯用記録再生装置に接続され、当該携帯用記録再生装置にコンテンツデータを転送し、制御信号を送出する転送部と、前記転送部に携帯用記録再生装置が接続されているとき、前記入力部から入力されるコンテンツデータを前記記録部に記録させるとともに、前記転送部に接続された携帯用記録再生装置にコンテンツデータを転送し、転送した当該コンテンツデータを記録及び再生させる制御をする制御部と、前記記録部に記録されたコンテンツデータの再生可否情報を記憶する管理情報記憶部と、を備え、前記制御部は、前記記録部に記録されたコンテンツデータと同一内容のコンテンツデータが記録された携帯用記録再生装置が前記転送部に接続されているとき、前記管理情報記憶部の当該コンテンツデータの再生可否情報を再生可能に設定し、当該携帯用記録再生装置が前記転送部に接続されていないとき、前記管理情報記憶部の当該コンテンツデータの再生可否情報を再生不可に設定する、記録再生装置である。
【００１５】  上記記録再生装置は、さらに、前記転送部から携帯用記録再生装置に転送されるコンテンツデータの品質を変換する変換部を備えてもよい。
【００１６】  上記目的を達成するため、本発明の第４の態様における携帯用記録再生装置は、記録再生装置に接続され、当該記録再生装置から転送されるコンテンツデータを受信する受信部と、前記受信部が受信したコンテンツデータを記録する記録部と、前記記録部に記録されたコンテンツデータの再生可否情報を記憶する管理情報記憶部と、前記記録部に記録されたコンテンツデータと同一内容のコンテンツデータが記録された記録再生装置が前記受信部に接続されているとき、前記管理情報記憶部の当該コンテンツデータの再生可否情報を再生不可に設定し、当該記録再生装置が前記受信部に接続されていないとき、前記管理情報記憶部の当該コンテンツデータの再生可否情報を再生可能に設定する制御部と、を備える。
【００１７】  上記携帯用記録再生装置は、前記記録再生装置に記録されたコンテンツデータと異なる品質のコンテンツデータを記録してもよい。
【図面の簡単な説明】
【００１８】
【図１】本実施例の記録再生装置の構成を示すブロック図である。
【図２】本実施例のコンテンツ情報を説明する説明図である。
【図３】本実施例の記録再生装置に接続可能な携帯用記録再生装置の構成を示すブロック図である。
【図４】コンテンツデータの記録動作を説明するフローチャートである。
【発明を実施するための最良の形態】
【００１９】  以下、本発明の実施の形態を説明する。【００２０】  図１に、本発明の一実施例であるコンテンツデータ記録システムを構成する記録再生装置の構成を示す。本実施例の記録再生装置は、後述する携帯用記録再生装置（外部機器）を接続することができるものである。【００２１】  図１に示す記録再生装置２００は、受信部１と、ＮＴＳＣ（National Television Standards Committee）デコード部２と、ＡＴＳＣ（Advanced Television Systems Committee）フロントエンド部３と、ＭＰＥＧ（Moving Picture Experts Group）エンコード部４と、記録部５と、ＭＰＥＧデコード部６と、映像信号処理部７と、オーディオ信号処理部８と、操作部９と、認証部１０と、変換部１１と、転送部１２と、制御部１３と、コンテンツ管理部１４と、を備える。【００２２】  受信部１は、アナログテレビ放送及びデジタルテレビ放送の放送番組情報を受信するチューナーであり、コンテンツデータを入力する入力手段である。受信部１は、受信したアナログテレビ放送の放送番組情報のコンテンツデータをＮＴＳＣデコード部２に出力する。また、受信部１は、受信したデジタルテレビ放送のＭＰＥＧ方式により圧縮されたコンテンツデータをＡＴＳＣフロントエンド部３に出力する。受信部１は、放送信号が暗号化（スクランブル）されている場合には復号化（デスクランブル）して出力する。【００２３】  ＮＴＳＣデコード部２は、受信部１から入力されたコンテンツデータをデジタルデータに変換し、ＮＴＳＣ方式のコンテンツデータ（デジタル映像信号及びデジタルオーディオ信号）に復調しＭＰＥＧエンコード部４に出力する。ＭＰＥＧエンコード部４は、ＮＴＳＣデコード部２から入力されたコンテンツデータをＭＰＥＧ方式の圧縮アルゴリズムにより圧縮する処理を施し、記録部５に出力する。ＡＴＳＣフロントエンド部３は、受信部１から入力されたコンテンツデータをビットストリームデータに変換し記録部５に出力する。【００２４】  なお、受信部１はアナログ放送信号又はデジタル放送信号のいずれか一方のみを受信可能としてもよい。また、放送方式は、ＮＴＳＣ、ＡＴＳＣに限られず、ＰＡＬ(Phase Alternating Line)、ＳＥＣＡＭ（Sequentiel couleur amemoire）、ＤＶＢ（Digital Video Broadcasting）等、いかなるものであってもよい。さらに、デジタル信号の圧縮方式は、ＭＰＥＧ方式に限らず、Ｈ．２６４等いかなるものであってもよい。【００２５】  記録部５は、ＨＤ、半導体メモリ等の記録媒体を備え、ＡＴＳＣフロントエンド部３及びＭＰＥＧエンコード部４から入力されたＭＰＥＧ方式で圧縮されたコンテンツデータを記録媒体に記録する。また、記録部５は、制御部１３の制御により記録媒体に記録されたコンテンツデータを再生する。【００２６】  ＭＰＥＧデコード部６は、記録部５から再生されたコンテンツデータをＭＰＥＧ方式の伸長アルゴリズムにより伸長する処理を施す。伸長処理されたデジタル映像信号は、映像信号処理７に出力され、伸長処理されたデジタルオーディオ信号は、オーディオ信号処理部８に出力される。【００２７】  映像信号処理部７は、デジタル映像信号をアナログ信号に変換し、エンファシス等の処理をする。オーディオ信号処理部８はデジタルオーディオ信号をアナログ信号に変換し、増幅等��処理をする。アナログ信号に変換された映像信号及びオーディオ信号は、それぞれ出力端子に接続された図示しない表示装置及びスピーカから出力される。なお、出力先がデジタル信号を入力可能な機器である場合には、アナログ信号に変換せず、デジタル信号として出力するようにすればよい。【００２８】  操作部９は、受信したコンテンツデータを記録部５に記録する操作や記録部５に記録されたコンテンツデータを再生する操作などの本実施例の記録装置を操作するための操作ボタン及び操作ボタンの操作内容を表示する表示部を備える。【００２９】  認証部１０は、転送部１２の接続端子に接続される後述する携帯用記録再生装置から入力される情報に基づいて、携帯用記録再生装置を認証する。認証方法は、例えば、鍵交換による認証や製造番号等の携帯用記録再生装置に特有の情報等を用いて認証する方法がある。認証部１０は、携帯用記録再生装置を認証した結果を制御部１３へ出力する。【００３０】  変換部１１は、必要に応じて、携帯用記録再生装置に転送するコンテンツデータの解像度を低解像度に変換し転送部１２に出力する。【００３１】  転送部１２は、携帯用記録再生装置と接続する接続端子を備え、本実施例の記録装置と携帯用記録再生装置の間でコンテンツデータ及び記録制御信号を転送するためのバスインターフェースを構成する。転送部１２は、例えば、ＵＳＢ（Universal Serial Bus）、ＩＥＥＥ１３９４（Institute of Electrical and Electronic Engineers 1394）、ＨＤＭＩ（High-Definition Multimedia Interface）等のインターフェースを構成する。なお、転送部１２は、携帯用記録再生装置と無線接続されてもよい。【００３２】  認証部１０が記録再生装置２００に接続された携帯用記録再生装置を認証すると、転送部１２は、携帯用記録再生装置から解像度情報などの携帯用記録再生装置に関する情報を取得する。取得した携帯用記録再生装置に関する情報は、制御部１３に入力される。【００３３】  制御部１３は、コンテンツデータの記録及び再生や認証された携帯用記録再生装置へのコンテンツデータの転送、携帯用記録再生装置における記録制御等の制御をする。また、制御部１３は、転送部１２を介して取得した携帯用記録再生装置に関する情報に基づいて、転送するコンテンツデータが携帯用記録再生装置で再生可能であるように変換部１１を制御する。変換部１１は、制御部１３の制御の下、例えば、記録部５に高精細（ＨＤ：High Definition）画質で記録されたコンテンツデータを標準精細（ＳＤ：Standard Definition）画質に変換し、或いは、携帯用記録再生装置の表示可能な画面画素数に変換する。【００３４】  コンテンツ管理部１４は、記録部５に記録されたコンテンツデータの属性情報を管理する。コンテンツ管理部１４は、図示しないコンテンツ情報記憶テーブルを備え、記録部５に記録されているコンテンツデータ毎に、コンテンツデータのファイル名の情報、コンテンツデータの転送先の情報、コンテンツデータの再生可能又は再生不可の情報等のコンテンツデータに関する属性情報（以下、コンテンツ情報という）を作成しコンテンツ情報記憶テーブルに記憶する。【００３５】  図２に、本実施例のコンテンツ情報を説明する説明図を示す。図２に示すコンテンツ情報は、記録部５に��録されたファイル名が「コンテンツ１」のコンテンツデータに関するものである。外部機器情報は、「コンテンツ１」のコンテンツデータが転送された携帯用記録再生装置を識別する情報（製造番号等の装置に特有の情報）であり、転送部１２を介して携帯用記録再生装置から取得される。コンテンツデータが携帯用記録再生装置に転送されていない場合は、携帯用記録再生装置を識別する情報が記憶されず、相互のアクセスは許可されない。【００３６】  再生可否情報は、記録部５に記録されたコンテンツデータの再生可能又は再生不可の情報である。「コンテンツ１」のコンテンツデータが再生可能の場合は、図２（ａ）に示すように再生可能を示す再生可否情報が記録される。「コンテンツ１」のコンテンツデータが再生不可の場合は、図２（ｂ）に示すように再生不可を示す再生可否情報が記録される。【００３７】  図３に、本実施例のコンテンツデータ記録システムの構成を示す。図３に示す本実施例のコンテンツデータ記録システムは、携帯用記録再生装置１００と、上述した記録再生装置２００とから構成される。本実施例の携帯用記録再生装置１００は、本実施例の記録再生装置２００と接続（相互アクセス）可能な外部機器である。本願明細書等において、「記録再生装置」とは、家庭等において固定して使用されるレコーダ等を意味し、「携帯用記録再生装置」とは、持ち運び可能な一般的に小型の、例えばパームサイズのプレーヤ等を意味する。【００３８】  図３に示す携帯用記録再生装置１００は、受信部１０１と、記録部１０２と、信号処理部１０３と、表示部１０４と、スピーカ１０５と、操作部１０６と、制御部１０７と、コンテンツ情報管理部１０８と、を備える。【００３９】  受信部１０１は、記録再生装置２００と接続可能な接続端子を備え、記録再生装置２００から転送されたコンテンツデータ及び制御信号を受信するためのインターフェースを構成する。【００４０】  記録部１０２は、ＨＤ、半導体メモリ等の記録媒体を備え、受信部１０１が受信したコンテンツデータを記録する。また、記録部１０２は、記録媒体に記録されたコンテンツデータを再生する。【００４１】  信号処理部１０３は、記録部１０２から再生されたコンテンツデータを例えばＭＰＥＧ方式の伸長アルゴリズムにより伸長する処理を施す。そして、信号処理部１０３は、伸長処理されたデジタル映像信号をアナログ映像信号に変換し、伸長処理されたデジタルオーディオ信号をアナログオーディオ信号に変換し増幅等の処理をする。アナログ映像信号は、信号処理部１０３から表示部１０４に入力され、表示部１０４により表示される。勿論、表示部１０４がデジタル映像信号を表示処理可能な場合にはアナログ信号に変換する必要はない。アナログオーディオ信号は、信号処理部１０３からスピーカ１０５に入力され、スピーカ１０５から出力される。【００４２】  操作部１０６は、記録部１０２に記録されたコンテンツデータの再生に関する操作ボタン等を備える。制御部１０７は、記録再生装置２００から転送されるコンテンツデータを記録部１０２に記録する制御や操作部１０６の再生指示によって、記録部１０２に記録されたコンテンツデータを再生する制御等をする。【００４３】  制御部���０７は、記録部１０２に記録されているコンテンツデータを管理する。制御部１０７は、記録部１０２に記録されているコンテンツデータ毎に、図２に示すようなコンテンツ情報を作成し、コンテンツ管理情報記憶部１０８に記憶する。【００４４】  制御部１０７は、以下で詳述するように、記録再生装置２００と接続されている状態で、記録再生装置２００より送出されたコンテンツデータの記録部１０２からの再生を不可とするコンテンツ管理情報を作成する。逆に、記録再生装置２００と接続されていない状態で、記録再生装置２００より送出されたコンテンツデータの記録部１０２からの再生を可能とするコンテンツ管理情報を作成する。【００４５】  次に、本実施例の記録再生装置２００におけるコンテンツデータの記録動作を説明する。【００４６】  図４に、本実施例の記録再生装置２００におけるコンテンツデータの記録動作を説明するフローチャートを示す。【００４７】  本実施例の記録再生装置２００に携帯用記録再生装置１００が接続されると、認証部１０は、鍵交換による認証や製造番号等の機器に特有の情報等を用いて、携帯用記録再生装置１００を認証する（ステップＳ１）。認証部１０は、携帯用記録再生装置１００を認証した結果を制御部１３へ出力する。【００４８】  携帯用記録再生装置１００の認証が終了した後、制御部１３は、コンテンツデータを記録する指示があるか否かを判別する（ステップＳ２）。操作部９から記録開始の指示または録画予約により、コンテンツデータを記録する指示があると、制御部１３は、ステップＳ１において、携帯用記録再生装置１００を認証した結果に基づいて、コンテンツデータの記録制御をする。【００４９】  ここで、制御部１３は、認証部１０により携帯用記録再生装置１００が認証された場合、コンテンツデータを記録部５に入力するとともに、このコンテンツデータを変換部１１及び転送部１２を介して、携帯用記録再生装置１００へ転送し、記録させる制御をする。なお、携帯用記録再生装置１００への記録の要否をＧＵＩ（Graphical User Interface）によりユーザが決定するようにしてもよい。記録部５は、入力されたコンテンツデータを記録する。【００５０】  携帯用記録再生装置１００へ転送されるコンテンツデータは、必要に応じて変換部１１により携帯用記録再生装置１００で再生可能な解像度に変換される。そして、転送部１２を介して転送されたコンテンツデータは携帯用記録再生装置１００に備えられた記録部１０２に記録される（ステップＳ３、ステップＳ４）。したがって、携帯用記録再生装置１００の記録部１０２には例えば記録再生装置２００の記録部５に記録されたものよりも低い解像度のコンテンツデータが記録される。【００５１】  一方、制御部１３は、認証部１０により携帯用記録再生装置１００が認証されない場合、コンテンツデータを記録部５に記録する制御をする（ステップＳ３、ステップＳ５）。制御部１３は、認証されていない携帯用記録再生装置１００へコンテンツデータを転送し、記録させる制御を行わない。【００５２】  コンテンツデータの記録が終了すると、コンテンツ管理部１４は、制御部１３の制御により、記録部５に記録されたコンテンツデータのコンテンツ情報を作成しコ���テンツ情報記憶テーブルに記憶する（ステップＳ６）。コンテンツデータが記録部５及び携帯用記録再生装置１００の記録部１０２に記録された場合、コンテンツ管理部１４は、図２（ａ）に示すように、記録部５に記録されたコンテンツデータのファイル名、このコンテンツデータが転送された携帯用記録再生装置１００の外部機器情報、このコンテンツデータの再生を可能とする再生可否情報を記憶する。一方、コンテンツデータが携帯用記録再生装置１００に転送されず記録部５にのみ記録された場合、コンテンツ管理部１４は、記録部５に記録されたコンテンツデータのファイル名、このコンテンツデータの再生を可能とする再生可否情報を記憶する。【００５３】  以上のように、本実施例の記録再生装置２００は、接続された携帯用記録再生装置１００が認証された場合、コンテンツデータを記録部５に記録するとともに携帯用記録再生装置１００の記録部１０２に記録する。一方、接続された携帯用記録再生装置１００が認証されない場合は、記録部５のみにコンテンツデータが記録される。【００５４】  次に、本実施例の記録再生装置２００及び携帯用記録再生装置１００に記録されたコンテンツデータの再生動作を説明する。【００５５】  本実施例の携帯用記録再生装置１００は、記録再生装置２００に接続された状態で、記録部５に記録されたコンテンツデータを再生可能とし、携帯用記録再生装置１００の記録部１０２に記録されたコンテンツデータを再生不可とする。一方、記録再生装置２００は、携帯用記録再生装置１００と接続しない状態で、携帯用記録再生装置１００の記録部１０２に記録されたコンテンツデータを再生可能とし、記録部５に記録されたコンテンツデータを再生不可とする。【００５６】  本実施例の記録再生装置２００から携帯用記録再生装置１００が取り外されると、制御部１３は、携帯用記録再生装置１００の記録部１０２に記録されたコンテンツデータと同一の記録部５に記録されたコンテンツデータを再生可能から再生不可とするようにコンテンツ管理部１４を制御する。コンテンツ管理部１４は、取り外された携帯用記録再生装置１００の外部機器情報と一致するコンテンツ情報において、再生可否情報を再生可能から再生不可に変更する。例えば、取り外された携帯用記録再生装置１００の外部機器情報が「ＰＭＰ−００１２３４」である場合、図２（ａ）に示す再生可能の再生可否情報を、図２（ｂ）に示す再生不可の再生可否情報に変更する。【００５７】  一方、本実施例の携帯用記録再生装置１００は、記録再生装置２００から取り外されると、制御部１０７により記録媒体１０２に記録されたコンテンツデータの再生を可能とする制御をする。すなわち、制御部１０７は、コンテンツ情報記憶部１０８の記録再生装置２００から送られたコンテンツデータに関するコンテンツ管理情報を再生不可から再生可能に変更する。【００５８】  すなわち、記録再生装置２００の記録部５及び携帯用記録再生装置１００の記録部１０２に記録されるコンテンツデータは、本実施例の記録再生装置２００と携帯用記録再生装置１００が接続されているとき、記録再生装置２００では再生することができ、携帯用記録再生装置１００では再生をすることができない。そ���て、本実施例の記録再生装置２００から携帯用記録再生装置１００が取り外されると、このコンテンツデータは、記録再生装置２００では再生することできなくなり、携帯用記録再生装置１００では再生をすることができる。【００５９】  例えば、携帯用記録再生装置１００でもコンテンツデータを視聴したいと望むユーザは、記録再生装置２００での記録の際、携帯用記録再生装置１００を記録再生装置２００に接続し、同時に記録する。ユーザは携帯用記録再生装置１００を記録再生装置２００から取り外すことにより、通勤時等の外出先で携帯用記録再生装置１００を用いてコンテンツデータを視聴することができる。このとき、記録再生装置２００ではコンテンツデータを利用することはできない。【００６０】  その後、ユーザは、記録再生装置２００で同内容のコンテンツデータを利用（保存・再生）したい場合には、記録再生装置２００に携帯用記録再生装置１００を再度接続する。このとき、接続を検出した記録再生装置２００は、接続された携帯用記録再生装置１００に記録されたコンテンツデータの管理情報を取得し、コンテンツ管理部１４のコンテンツ管理情報と照合し、例えば外部機器情報及びファイル名が一致したデータについて再生可否情報を再生可能に書き換える。一方、逆に、接続を検出した携帯用記録再生装置１００は、同様に管理情報を照合し、記録再生装置２００にも記録されているコンテンツデータについては、その再生可否情報を再生不可に書き換える。これにより、同一内容のコンテンツデータについて、記録再生装置２００では再生可能となり、携帯用記録再生装置１００では再生不可となる。【００６１】  再接続により、携帯用記録再生装置１００に記録されたコンテンツデータが記録再生装置２００に記録されたものよりも低解像度であっても、ユーザは記録再生装置２００に元々記録された解像度で当該コンテンツデータを利用することができる。【００６２】  このように、本実施例の記録再生装置２００及び携帯用記録再生装置１００の間では、いずれか一方のみでコンテンツデータの利用（再生）が可能となる。この結果、コンテンツデータの無制限の利用を防止し、著作権を保護することができる。【００６３】  上述したように、本実施例のコンテンツデータ記録システムにおいて、記録再生装置２００に携帯用記録再生装置１００が接続されているとき、記録部５に記録されたコンテンツデータのみが再生可能となり、接続された携帯用記録再生装置１００が取り外されると、携帯用記録再生装置１００の記録部１０２に記録されたコンテンツデータのみが再生可能となる。このため、本実施例の記録再生装置２００から携帯用記録再生装置１００を取り外すことによって、コンテンツデータが記録再生装置２００から削除され携帯用記録再生装置１００へ転送（ムーブ）された場合と同じ効果を奏することになる。【００６４】  したがって、ユーザは携帯用記録再生装置１００に例えば低解像度で記録されたコンテンツデータを視聴することができるとともに、ユーザは記録再生装置２００においても当該コンテンツデータを元の高解像度で保存・視聴することができる。また、携帯用記録再生装置１００へのコンテンツデータの転送操作は不要であり、コ���テンツデータの転送に要する時間が実質的にかからず、ユーザは即時に携帯用記録再生装置２００においてコンテンツデータを利用することができる。【００６５】  以上のように、本実施形態によれば、放送信号を記録再生装置２００で記録するとともに、記録再生装置２００に接続された携帯用記録再生装置１００で記録する。また、記録再生装置２００及び携帯用記録再生装置１００のそれぞれに記録したコンテンツデータは、いずれか一方のみが利用（再生）可能とされる。これにより、コンテンツデータの無制限の利用は防止され、著作権は適切に保護される。【００６６】  一方、ユーザは、記録再生装置２００に記録したコンテンツデータを削除することなく、携帯用記録再生装置１００において、同じ内容のコンテンツデータを利用することができる。このため、放送信号が携帯用記録再生装置１００で再生可能に変換（ダウンコンバート）して記録された場合であっても、ユーザは記録再生装置２００において放送信号と同じ品質でコンテンツデータを保存・再生することができる。【００６７】  これらのことから、本実施形態によれば、著作権を保護しつつ、ユーザのコンテンツデータの利用性を向上させることが可能である。
【産業上の利用可能性】
【００６８】  本発明は、著作権の保護を図りつつ、映像信号及びオーディオ信号を記録媒体に記録する記録装置に用いて極めて有用である。
【図１】
2007043251.tif 000003
【図２】
2007043251.tif 000004
【図３】
2007043251.tif 000005
【図４】
2007043251.tif 000006
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
互いに接続可能な第１及び第２の記録再生装置から構成されるコンテンツデータ記録再生システムにおけるコンテンツデータ記録再生方法であって、
放送番組情報を受信する受信部から入力されるコンテンツデータを前記第１及び第２の記録再生装置にそれぞれ記録し、
前記第１及び第２の記録再生装置が互いに接続されているとき、前記第１及び第２の記録再生装置のいずれか一方のみにおける記録されたコンテンツデータの再生を可能とし、前記第１及び第２の記録再生装置が互いに接続されていないとき、前記第１及び第２の記録再生装置のいずれか他方のみにおける記録されたコンテンツデータの再生を可能とすることを特徴とする、
コンテンツデータ記録再生方法。
【請求項２】
請求の範囲第１項に記載のコンテンツデータ記録再生方法において、
前記第１及び第２の記録再生装置は、異なる品質のコンテンツデータを記録することを特徴とするコンテンツデータ記録再生方法。
【請求項３】
（Ａ）放送番組情報を受信する第１の受信部と、
前記第１の受信部から入力されるコンテンツデータを記録する第１の記録部と、
携帯用記録再生装置に接続され、当該携帯用記録再生装置にコンテンツデータを転送し、制御信号を送出する転送部と、
前記転送部に携帯用記録再生装置が接続されているとき、前記第１の受信部から入力されるコンテンツデータを前記第１の記録部に記録させるとともに、前記転送部に接続された携帯用記録再生装置にコンテンツデータを転送し、転送した当該コンテンツデータを記録及び再生させる制御をする第１の制御部と、
前記第１の記録部に記録されたコンテンツデータの再生可否情報を記憶する第１の管理情報記憶部と、を備え、
前記第１の制御部は、前記第１の記録部に記録されたコンテンツデータと同一内容のコンテンツデータが記録された携帯用記録再生装置が前記転送部に接続されているとき、前記第１の管理情報記憶部の当該コンテンツデータの再生可否情報を再生可能に設定し、当該携帯用記録再生装置が前記転送部に接続されていないとき、前記第１の管理情報記憶部の当該コンテンツデータの再生可否情報を再生不可に設定する、記録再生装置，及び、
（Ｂ）前記記録再生装置に接続され、当該記録再生装置から転送されるコンテンツデータを受信する第２の受信部と、
前記第２の受信部が受信したコンテンツデータを記録する第２の記録部と、
前記第２の記録部に記録されたコンテンツデータの再生可否情報を記憶する第２の管理情報記憶部と、
前記第２の記録部に記録されたコンテンツデータと同一内容のコンテンツデータが記録された記録再生装置が前記第２の受信部に接続されているとき、前記管理情報記憶部の当該コンテンツデータの再生可否情報を再生不可に設定し、当該記録再生装置が前記第２の受信部に接続されていないとき、前記管理情報記憶部の当該コンテンツデータの再生可否情報を再生可能に設定する第２の制御部と、
を備える携帯用記録再生装置，
から構成されることを特徴とするコンテンツデータ記録再生システム。
【請求項４】
請求の範囲第３項に記載の記録再生システムにおいて、
前記記録再生装置は、さらに、前記転送部から前記携帯用記録再生装置に転送されるコンテンツデータの品質を変換する変換部を備えることを特徴とする記録再生システム。
【請求項５】
放送番組情報を受信する受信部と、
前記受信部から入力されるコンテンツデータを記録する記録部と、
携帯用記録再生装置に接続され、当該携帯用記録再生装置にコンテンツデータを転送し、制御信号を送出する転送部と、
前記転送部に携帯用記録再生装置が接続されているとき、前記受信部から入力されるコンテンツデータを前記記録部に記録させるとともに、前記転送部に接続された携帯用記録再生装置にコンテンツデータを転送し、転送した当該コンテンツデータを記録及び再生させる制御をする制御部と、
前記記録部に記録されたコンテンツデータの再生可否情報を記憶する管理情報記憶部と、を備え、
前記制御部は、前記記録部に記録されたコンテンツデータと同一内容のコンテンツデータが記録された携帯用記録再生装置か前記転送部に接続されているとき、前記管理情報記憶部の当該コンテンツデータの再生可否情報を再生可能に設定し、当該携帯用記録再生装置が前記転送部に接続されていないとき、前記管理情報記憶部の当該コンテンツデータの再生可否情報を再生不可に設定する、ことを特徴とする記録再生装置。
【請求項６】
請求の範囲第５項に記載の記録再生装置において、
さらに、前記転送部から携帯用記録再生装置に転送されるコンテンツデータの品質を変換する変換部を備えることを特徴とする記録再生装置。
【請求項７】
記録再生装置に接続され、当該記録再生装置から転送されるコンテンツデータを受信する受信部と、
前記受信部が受信したコンテンツデータを記録する記録部と、
前記記録部に記録されたコンテンツデータの再生可否情報を記憶する管理情報記憶部と、
前記記録部に記録されたコンテンツデータと同一内容のコンテンツデータが記録された記録再生装置が前記受信部に接続されているとき、前記管理情報記憶部の当該コンテンツデータの再生可否情報を再生不可に設定し、当該記録再生装置が前記受信部に接続されていないとき、前記管理情報記憶部の当該コンテンツデータの再生可否情報を再生可能に設定する制御部と、
を備えることを特徴とする携帯用記録再生装置。
【請求項８】
請求の範囲第７項に記載の携帯用記録再生装置において、前記記録再生装置に記録されたコンテンツデータと異なる品質のコンテンツデータを記録することを特徴とする携帯用記録再生装置。
【国際調査報告】
2007043251.tif 000007
2007043251.tif 000008
2007043251.tif 000009
2007043251.tif 000010